(57)【要約】【課題】炉端の木枠及び天板を分解・組立可能にすることができる囲炉裏を提供する事を課題とする。【解決手段】床面４の上に、炉端２を設置し、この炉端２の炉端開口部３に炉本体１０を設ける。炉端２は木枠１２から構成され、この木枠１２は４枚の側板１４から構成される。これら側板１４は分割側板１５a、１５ｂから構成され、両端部に井桁組溝１７が形成される。これらの井桁組溝１７同士を「緩やかに」井桁に組むことにより木枠１２を形成する。同時に中央に炉端開口部３を形成する。この炉端開口部３に炉本体１０を挿入し、炉本体１０の開口部の長手方向の外側に水平に形成される炉出っ張り１１を木枠１２の上面に掛けることにより炉本体１０が炉端２の炉端開口部３に設置される。分解する場合は、組み立てる順序と逆の順序で分解する。【選択図】図１
2008082572.tif 000002
【特許請求の範囲】
【請求項１】
床面（４）に、又はこの床面（４）を切り抜き、四角形状に設けられる床面開口部（５）に、炉端（２）を設け、この炉端（２）の炉端開口部（３）に四角箱状に形成される上部開口部の縁に沿って水平方向に形成される炉出っ張り（１１）が形成される炉本体（１０）が設置される囲炉裏(１A、１Ｂ)において、前記炉端（２）を構成するために木枠（１２）を設け、この木枠（１２）を構成するために「緩やかに」井桁に組まれる４枚の側板（１４）と、これら４枚の側板（１４）の両端部に形成される井桁組溝（１７）と、を有することを特徴とする囲炉裏。
【請求項２】
前記木枠（１２）の上に天板（２４）を載せて炉端（２）を設け、この炉端（２）の炉端開口部（３）に前記炉本体（１０）が設置される囲炉裏(１A、１Ｂ)において、前記天板（２４）の端部を構成し２枚で互いに平行に設けられる端部天板（２７）と、これら端部天板（２７）の両端の間に渡される２枚の渡天板（２９）と、これら端部天板（２７）と渡天板（２９）が連結される部分の前記端部天板（２７）の両端部木口の各板（２７、２９）の長手方向に形成される蝶番溝（１８ｂ）と、前記渡天板（２９）の両端部木口の各板（２７、２９）の長手方向に形成される蝶番溝（１８ｂ）と、これら蝶番溝（１８ｂ）が合わされた部分に収没された状態で取り付けられる蝶番（２１ｂ）と、前記端部天板（２７）の裏面の両端部に形成される出没凹部（２０）と、これらの出没凹部（２０）の内部から出没可能に設けられ、突出した状態で前記木枠（１２）の内側に接触し前記天板（２４）の水平方向の位置決めを行なう固定部材（３０）と、を有することを特徴とする請求項１に記載の囲炉裏。
【請求項３】
前記木枠（１２）の上に天板（２４）を載せて炉端（２）を設け、この炉端（２）の炉端開口部（３）に前記炉本体（１０）が設置される囲炉裏(１A、１Ｂ)において、前記天板（２４）の端部を構成するために「緩やかに」井桁に組まれる４枚の端部天板（２７Ｂ、２７Ｃ）と、これら４枚の端部天板（２７Ｂ、２７Ｃ）の両端部に形成される井桁組溝（１７ｂ、１７ｃ）と、前記一対の端部天板（２７Ｂ）の裏面の両端部に形成される出没凹部（２０）と、これらの出没凹部（２０）の内部から出没可能に設けられ、突出した状態で前記木枠（１２）の内側に接触し前記天板（２４Ｂ）の水平方向の位置決めを行なう固定部材（３０）と、を有することを特徴とする請求項１に記載の囲炉裏。
【請求項４】
前記木枠（１２）の上に天板（２４）を載せて炉端（２）を設け、この炉端（２）の炉端開口部（３）に前記炉本体（１０）が設置される囲炉裏(１A、１Ｂ)において、前記天板（２４）の端部を構成し互いに一対が設けられ両端部が平行に水平方向に突出部が形成されるコの字端部天板（２７０）と、これらコの字端部天板（２７０）が連結される部分の両端の長手方向に形成される蝶番溝（１８ｄ）と、これら蝶番溝（１８ｄ）が合わされた状態の部分に収没された状態で取り付けられる蝶番（２１ｄ）と、前記コの字端部天板（２７０）の裏面の両端部に形成される出没凹部（２０）と、これら出没凹部（２０）の内部から出没可能に設けられ、突出した状態で前記木枠（１２）の内側に接触し前記天板（２４）の水平方向の位置決めを行なう固定部材（３０）と、を有することを特徴とする請求項１に記載の囲炉裏。
【請求項５】
床面（４）を切り抜き、四角形状に設けられる床面開口部（５）に、天板（２４）を載せることで炉端（２）を設け、この炉端（２）の炉端開口部（３）に四角箱状に形成され、開口部の縁に沿って水平方向に炉出っ張り（１１）が形成される炉本体（１０）が設置される囲炉裏（１Ｂ）において、前記天板（２４）の端部を構成し２枚で互いに平行に設けられる端部天板（２７）と、これら端部天板（２７）の両端の間に渡される２枚の渡天板（２９）と、これら端部天板（２７）と渡天板（２９）が連結される部分の前記端部天板（２７）の両端部木口の各板（２７、２９）の長手方向に直角に形成される蝶番溝（１８ｂ）と、前記渡天板（２９）の両端木口の各板（２７、２９）の長手方向に直角に形成される蝶番溝（１８ｂ）と、これら蝶番溝（１８ｂ）が合わされた部分に収没された状態で取り付けられる蝶番（２１ｂ）と、前記端部天板（２７）の裏面の両端部に形成される出没凹部（２０）と、これらの出没凹部（２０）の内部から出没可能に設けられ、突出した状態で前記床面開口部（５）の内側側面に接触し前記天板（２４）の水平方向の位置決めを行なう固定部材（３０）と、を有することを特徴とする囲炉裏。
【請求項６】
床面（４）を切り抜き、四角形状に設けられる床面開口部（５）に、天板（２４）を載せることで炉端（２）を設け、この炉端（２）の炉端開口部（３）に四角箱状に形成され、開口部の縁に沿って水平方向に炉出っ張り（１１）が形成される炉本体（１０）が設置される囲炉裏（１Ｂ）において、前記天板（２４）の端部を構成するために「緩やかに」井桁に組まれる４枚の端部天板（２７Ｂ、２７Ｃ）と、これら４枚の端部天板（２７Ｂ、２７Ｃ）の両端部に形成される井桁組溝（１７ｂ、１７ｃ）と、前記端部天板（２７Ｂ）の裏面の両端部に形成される出没凹部（２０）と、これらの出没凹部（２０）の内部から出没可能に設けられ、突出した状態で前記床面開口部（５）の内側側面に接触し前記天板（２４）の水平方向の位置決めを行なう固定部材（３０）と、を有することを特徴とする囲炉裏。
【請求項７】
床面（４）を切り抜き、四角形状に設けられる床面開口部（５）に、天板（２４）を載せることで炉端（２）を設け、この炉端（２）の炉端開口部（３）に四角箱状に形成され、開口部の縁に沿って水平方向に炉出っ張り（１１）が形成される炉本体（１０）が設置される囲炉裏（１Ｂ）において、前記天板（２４）の端部を構成し互いに一対が設けられ両端部が平行に水平方向に突出部が形成されるコの字端部天板（２７０）と、これらコの字端部天板（２７０）が連結される両端の長手方向に形成される蝶番溝（１８ｄ）と、これら蝶番溝（１８ｄ）が合わされた部分に収没された状態で取り付けられる蝶番（２１ｄ）と、前記コの字端部天板（２７０）の裏面の両端部に形成される出没凹部（２０）と、これらの出没凹部（２０）の内部から出没可能に設けられ、突出した状態で前記床面開口部（５）の内側側面に接触し前記天板（２４）の水平方向の位置決めを行なう固定部材（３０）と、を有することを特徴とする囲炉裏。
【請求項８】
前記木枠（１２）の上に天板（２４）を載せて炉端（２）を設け、この炉端（２）の炉端開口部（３）に前記炉本体（１０）が設置される囲炉裏(１A、１Ｂ)において、前記天板（２４）の端部を構成し互いに一対が設けられ両端部が平行に水平方向に突出部が形成されるコの字端部天板（２７０）と、これらコの字端部天板（２７０）の主体を構成する端部天板（２７）と、前記コの字端部天板（２７０）の突出部を構成する突出天板（１９a,１９b）と、これら端部天板（２７）と突出天板（１９a,１９b）が連結される部分の前記端部天板（２７）の両端部木口の各板（２７、１９）の長手方向に形成される蝶番溝（１８e）と、前記突出天板（１９a,１９b）の端部木口の各板（２７、１９）の長手方向に形成される蝶番溝（１８e）と、これら蝶番溝（１８e）が合わされた部分に収没された状態で取り付けられる蝶番（２１e）と、前記端部天板（２７）の裏面の両端部に形成される出没凹部（２０）と、これらの出没凹部（２０）の内部から出没可能に設けられ、突出した状態で前記木枠（１２）の内側に接触し前記天板（２４）の水平方向の位置決めを行なう固定部材（３０）と、を有することを特徴とする請求項１に記載の囲炉裏。
【請求項９】
床面（４）を切り抜き、四角形状に設けられる床面開口部（５）に、天板（２４）を載せることで炉端（２）を設け、この炉端（２）の炉端開口部（３）に四角箱状に形成され、開口部の縁に沿って水平方向に炉出っ張り（１１）が形成される炉本体（１０）が設置される囲炉裏（１Ｂ）において、前記天板（２４）の端部を構成し互いに一対が設けられ両端部が平行に水平方向に突出部が形成されるコの字端部天板（２７０）と、これらコの字端部天板（２７０）の主体を構成する端部天板（２７）と、前記コの字端部天板（２７０）の突出部を構成する突出天板（１９a,１９b）と、これら端部天板（２７）と突出天板（１９a,１９b）が連結される部分の前記端部天板（２７）の両端部木口の各板（２７、１９）の長手方向に形成される蝶番溝（１８e）と、前記突出天板（１９a,１９b）の端部木口の各板（２７、１９）の長手方向に形成される蝶番溝（１８e）と、これら蝶番溝（１８e）が合わされた部分に収没された状態で取り付けられる蝶番（２１e）と、前記端部天板（２７）の裏面の両端部に形成される出没凹部（２０）と、これらの出没凹部（２０）の内部から出没可能に設けられ、突出した状態で前記木枠（１２）の内側に接触し前記天板（２４）の水平方向の位置決めを行なう固定部材（３０）と、を有することを特徴とする囲炉裏。
【請求項１０】
前記渡天板（２９）が分割される分割渡天板（３４a,３４ｂ）と、これら分割渡天板（３４a、３４ｂ）が連結される部分の端部両木口に形成される蝶番溝（１８ｆ）と、これら蝶番溝（１８ｆ）が合わされた状態の部分に収没される状態で設けられ連結を行う蝶番（２１ｆ）と、を有することを特徴とする請求項２、５に記載の囲炉裏。
【請求項１１】
前記側板（１４）が分割される分割側板（１４a、１４ｂ）と、これら分割側板（１４a、１４ｂ）が連結される部分の端部両木口に形成される蝶番溝（１８）と、これら蝶番溝（１８）が合わされた状態の部分に収没される状態で設けられ連結を行う蝶番（２１）と、を有することを特徴とする請求項１、２、３、４又は８に記載の囲炉裏。
【請求項１２】
前記端部天板（２７、２７Ｂ、２７Ｃ）が分割される分割端部天板（２８a、２８ｂ、２８ｃ、２８ｄ、２８e,２８ｆ）と、これら分割端部天板（２８a、２８ｂ、２８ｃ、２８ｄ、２８e、２８ｆ）が連結される部分の端部両木口に形成される蝶番溝（１８ｃ）と、これら蝶番溝（１８ｃ）が合わされた状態の部分に収没された状態で設けられ、連結を行う蝶番（２１ｃ）と、を有することを特徴とする請求項２，３，４、８又は９に記載の囲炉裏。
【請求項１３】
前記床面開口部（５）の内側に沿って四角枠状に設けられる蓋床面受（７）と、この蓋床面受（７）の上面に四方の端部が載せられ前記床面開口部（５）を閉じるために設けられる四角形状の蓋床面（６）と、この蓋床面（６）の中央に形成される取っ手穴（８）と、を有する事を特徴とする請求項１、２、３、４、５、６、７、８、９、１０、１１、又は１２に記載の囲炉裏。
【発明の詳細な説明】
【技術分野】
【０００１】
この発明は組立式の囲炉裏に関する。
【背景技術】
【０００２】
図４２において床面４の上に、設置される従来の設置式の囲炉裏１０１Aは床面４の上に炉端２が設置される。炉端２は木枠１２と天板２４から構成され、木枠１２の上に炉端開口部３を有する天板２４が取り外し自在に載せられる。木枠１２は四角形の筒状の下部に底板１３が設けられる箱型の形状で、外壁上部の両側面に取っ手２６が設けられ、上部の開口部に炉本体１０の開口部の縁に沿って水平方向に形成される炉出っ張り１１が掛けられて炉本体１０が設置される。天板２４は４枚の端部天板２７Ｍが接合されることにより、中央部に前記炉本体１０の開口部に対応し炉端開口部３が形成され、裏面に四角枠状の天板垂れ部２５が設けられる。この天板垂れ部２５の底面が取っ手２６の上面に載せられ固定されることにより炉端２が形成されると同時に囲炉裏１０１Aが形成される。囲炉裏１０１Aを運搬する場合は天板２４を木枠１２から取り外し、木枠１２の両側面の取っ手２６を持ち炉本体１０が設置された状態で運搬する。
【０００３】
図４３において、床面４を切り抜いた床面開口部５に設置される従来の床切式の囲炉裏１０１Ｂは床面４を切り抜き、床面開口部５が形成される。この床面開口部５の周辺に天板２４から構成される炉端２を取り外し式に設置し、この炉端２の炉端開口部３に炉本体１０が設けられる。床面４の裏面と床下面９の間に四角枠状の木枠１２Ｂが設けられ、この木枠１２Ｂの上端が床面開口部５の周辺の床面４を支持する。床面開口部５に炉本体１０が挿入され、床面開口部５の周辺の床面４の表面に炉本体１０の開口部の縁に沿って水平方向に形成される炉出っ張り１１が掛けられて炉本体１０が設置される。天板２４は４枚の端部天板２７Ｍが接合されることにより形成され、中央部に炉出っ張り１１に対応する炉端開口部３が形成され炉端２が形成される。天板２４を床面開口部５に取り外し式に設置することで囲炉裏１０１Ｂが形成される。
【特許文献１】特願平１０−３６１８７９号公報
【非特許文献１】夢工舎の囲炉裏カタログｐ２７
【発明の開示】
【発明が解決しようとする課題】
【０００４】
しかしながら、以上の技術によれば、床面の上に設置する囲炉裏、又は床面を切り抜いた床面開口部に炉端を設置する囲炉裏において、炉端の木枠，天板はさらに分解、縮小する事ができなかった。そのため、囲炉裏を運搬する上で不便であり、囲炉裏が不要の場合に広い場所に置く必要があった。
【０００５】
そこで、この発明は、床面の上に設置する囲炉裏及び床面を切り抜いた床面開口部に設置する囲炉裏において、炉端の木枠、天板をさらに分解・縮小する事を可能にし、容易に運搬でき、容易に組立・分解可能で、不要の場合に狭い場所に収納することができる組立式の囲炉裏を提供する事を課題とする。
【課題を解決するための手段】
【０００６】
以上の課題を解決するために、第一発明は、床面に、又はこの床面を切り抜き、四角形状に設けられる床面開口部に、炉端を設け、この炉端の炉端開口部に四角箱状に形成される上部開口部の縁に沿って水平方向に形成される炉出っ張りが形成される炉本体が設置される囲炉裏において、前記炉端を構成するために木枠を設け、この木枠を構成するために「緩やかに」井桁に組まれる４枚の側板と、これら４枚の側板の両端部に形成される井桁組溝と、を有することを特徴とする囲炉裏である。
【０００７】
また、第二発明は、さらに、前記木枠の上に天板を載せて炉端を設け、この炉端の炉端開口部に前記炉本体が設置される囲炉裏において、前記天板の端部を構成し２枚で互いに平行に設けられる端部天板と、これら端部天板の両端の間に渡される２枚の渡天板と、これら端部天板と渡天板が連結される部分の前記端部天板の両端部木口の各板の長手方向に形成される蝶番溝と、前記渡天板の両端部木口の各板の長手方向に形成される蝶番溝と、これら蝶番溝が合わされた部分に収没された状態で取り付けられる蝶番と、前記端部天板の裏面の両端部に形成される出没凹部と、これらの出没凹部の内部から出没可能に設けられ、突出した状態で前記木枠の内側に接触し前記天板の水平方向の位置決めを行なう固定部材と、を有することを特徴とする囲炉裏である。
【０００８】
また、第三発明は、さらに、前記木枠の上に天板を載せて炉端を設け、この炉端の炉端開口部に前記炉本体が設置される囲炉裏において、前記天板の端部を構成するために「緩やかに」井桁に組まれる４枚の端部天板と、これら４枚の端部天板の両端部に形成される井桁組溝と、前記一対の端部天板の裏面の両端部に形成される出没凹部と、これらの出没凹部の内部から出没可能に設けられ、突出した状態で前記木枠の内側に接触し前記天板の水平方向の位置決めを行なう固定部材と、を有することを特徴とする囲炉裏である。
【０００９】
また、第四発明は、さらに、前記木枠の上に天板を載せて炉端を設け、この炉端の炉端開口部に前記炉本体が設置される囲炉裏において、前記天板の端部を構成し互いに一対が設けられ両端部が平行に水平方向に突出部が形成されるコの字端部天板と、これらコの字端部天板が連結される部分の両端の長手方向に形成される蝶番溝と、これら蝶番溝が合わされた状態の部分に収没された状態で取り付けられる蝶番と、前記コの字端部天板の裏面の両端部に形成される出没凹部と、これら出没凹部の内部から出没可能に設けられ、突出した状態で前記木枠の内側に接触し前記天板の水平方向の位置決めを行なう固定部材と、を有することを特徴とする囲炉裏である。
【００１０】
また、第五発明は、床面を切り抜き、四角形状に設けられる床面開口部に、天板を載せることで炉端を設け、この炉端の炉端開口部に四角箱状に形成され、開口部の縁に沿って水平方向に炉出っ張りが形成される炉本体が設置される囲炉裏において、前記天板の端部を構成し２枚で互いに平行に設けられる端部天板と、これら端部天板の両端の間に渡される２枚の渡天板と、これら端部天板と渡天板が連結される部分の前記端部天板の両端部木口の各板の長手方向に直角に形成される蝶番溝と、前記渡天板の両端木口の各板の長手方向に直角に形成される蝶番溝と、これら蝶番溝が合わされた部分に収没された状態で取り付けられる蝶番と、前記端部天板の裏面の両端部に形成される出没凹部と、これらの出没凹部の内部から出没可能に設けられ、突出した状態で前記床面開口部の内側側面に接触し前記天板の水平方向の位置決めを行なう固定部材と、を有することを特徴とする囲炉裏である。
【００１１】
また、第六発明は、床面を切り抜き、四角形状に設けられる床面開口部に、天板を載せることで炉端を設け、この炉端の炉端開口部に四角箱状に形成され、開口部の縁に沿って水平方向に炉出っ張りが形成される炉本体が設置される囲炉裏において、前記天板の端部を構成するために「緩やかに」井桁に組まれる４枚の端部天板と、これら４枚の端部天板の両端部に形成される井桁組溝と、前記端部天板の裏面の両端部に形成される出没凹部と、これらの出没凹部の内部から出没可能に設けられ、突出した状態で前記床面開口部の内側側面に接触し前記天板の水平方向の位置決めを行なう固定部材と、を有することを特徴とする囲炉裏である。
【００１２】
また、第七発明は、床面を切り抜き、四角形状に設けられる床面開口部に、天板を載せることで炉端を設け、この炉端の炉端開口部に四角箱状に形成され、開口部の縁に沿って水平方向に炉出っ張りが形成される炉本体が設置される囲炉裏において、前記天板の端部を構成し互いに一対が設けられ両端部が平行に水平方向に突出部が形成されるコの字端部天板と、これらコの字端部天板が連結される両端の長手方向に形成される蝶番溝と、これら蝶番溝が合わされた部分に収没された状態で取り付けられる蝶番と、前記コの字端部天板の裏面の両端部に形成される出没凹部と、これらの出没凹部の内部から出没可能に設けられ、突出した状態で前記床面開口部の内側側面に接触し前記天板の水平方向の位置決めを行なう固定部材と、を有することを特徴とする囲炉裏である。
【００１３】
また、第八発明は、さらに、前記木枠の上に天板を載せて炉端を設け、この炉端の炉端開口部に前記炉本体が設置される囲炉裏において、前記天板の端部を構成し互いに一対が設けられ両端部が平行に水平方向に突出部が形成されるコの字端部天板と、これらコの字端部天板の主体を構成する端部天板と、前記コの字端部天板の突出部を構成する突出天板と、これら端部天板と突出天板が連結される部分の前記端部天板の両端部木口の各板の長手方向に形成される蝶番溝と、前記突出天板の端部木口の各板の長手方向に形成される蝶番溝と、これら蝶番溝が合わされた部分に収没された状態で取り付けられる蝶番と、前記端部天板の裏面の両端部に形成される出没凹部と、これらの出没凹部の内部から出没可能に設けられ、突出した状態で前記木枠の内側に接触し前記天板の水平方向の位置決めを行なう固定部材と、を有することを特徴とする囲炉裏である。
【００１４】
また、第九発明は、床面を切り抜き、四角形状に設けられる床面開口部に、天板を載せることで炉端を設け、この炉端の炉端開口部に四角箱状に形成され、開口部の縁に沿って水平方向に炉出っ張りが形成される炉本体が設置される囲炉裏において、前記天板の端部を構成し互いに一対が設けられ両端部が平行に水平方向に突出部が形成されるコの字端部天板と、これらコの字端部天板の主体を構成する端部天板と、前記コの字端部天板の突出部を構成する突出天板と、これら端部天板と突出天板が連結される部分の前記端部天板の両端部木口の各板の長手方向に形成される蝶番溝と、前記突出天板の端部木口の各板の長手方向に形成される蝶番溝と、これら蝶番溝が合わされた部分に収没された状態で取り付けられる蝶番と、前記端部天板の裏面の両端部に形成される出没凹部と、これらの出没凹部の内部から出没可能に設けられ、突出した状態で前記木枠の内側に接触し前記天板の水平方向の位置決めを行なう固定部材と、を有することを特徴とする囲炉裏である。
【００１５】
また、第十発明は、さらに、前記渡天板が分割される分割渡天板と、これら分割渡天板が連結される部分の端部両木口に形成される蝶番溝と、これら蝶番溝が合わされた状態の部分に収没される状態で設けられ連結を行う蝶番と、を有することを特徴とする囲炉裏である。
【００１６】
また、第十一発明は、さらに、前記側板が分割される分割側板と、これら分割側板が連結される部分の端部両木口に形成される蝶番溝と、これら蝶番溝が合わされた状態の部分に収没される状態で設けられ連結を行う蝶番と、を有することを特徴とする囲炉裏である。
【００１７】
また、第十二発明は、さらに、前記端部天板が分割される分割端部天板と、これら分割端部天板が連結される部分の端部両木口に形成される蝶番溝と、これら蝶番溝が合わされた状態の部分に収没された状態で設けられ、連結を行う蝶番と、を有することを特徴とする囲炉裏である。
【００１８】
また、第十三発明は、さらに、前記床面開口部の内側に沿って四角枠状に設けられる蓋床面受と、この蓋床面受の上面に四方の端部が載せられ前記床面開口部を閉じるために設けられる四角形状の蓋床面と、この蓋床面の中央に形成される取っ手穴と、を有する事を特徴とする囲炉裏である。
【発明の効果】
【００１９】
第一発明によれば、木枠は４枚の側板から構成され、これら４枚の側板の両端部に井桁組溝を形成したので、４枚の側板に分解することができるので木枠を縮小することができ、容易に運搬する事ができる。また、これら４枚の側板を「緩やかに」井桁に組み木枠を容易に組み立てる事ができ、容易に分解することができる。したがって、不要の場合に狭い場所に収納することができる。
【００２０】
第二発明、第五発明によれば、天板が端部を構成し２枚で互いに平行に設けられる端部天板と、これら端部天板の両端の間に渡される２枚の渡天板から構成されるのでさらに天板が分解され、縮小することができる。端部天板と渡天板が連結される部分に取り付けられる蝶番を設けたので天板の組立、分解が容易である。
【００２１】
第三、第六発明によれば、天板は端部を構成するために「緩やかに」井桁に組まれる４枚の端部天板から構成され、これら４枚の端部天板の両端部に井桁組溝が形成されるので、天板を４枚の端部天板に分解することができ、天板を縮小することができ、容易に運搬することができる。また、容易に組立・分解可能で、不要の場合に狭い場所に収納することができる。
【００２２】
第四、第七発明によれば、天板の端部を構成し互いに一対が設けられ両端部が平行に水平方向に突出部が形成されるコの字端部天板と、これらコの字端部天板が連結される両端に取り付けられる蝶番の働きで、天板を折りたたむことができる。したがって、炉端を縮小することができ、容易に運搬でき、容易に組立可能で、不要の場合に狭い場所に収納することができる。
【００２３】
第八、第九発明によれば、天板の端部を構成し互いに一対が設けられ両端部が平行に水平方向に突出部が形成されるコの字端部天板と、これらコの字端部天板の主体を構成する端部天板と、前記コの字端部天板の両端部の突出部を構成する突出天板を設けたので、さらに天板が分解され、縮小することができる。
【００２４】
第二、第三、第四、第五、第六、第七、第八、第九発明によれば、天板の裏面の両端部に形成される出没凹部と、これらの出没凹部の内部から固定部材を出没可能に設けたので、炉端の組立、分解が容易である。
【００２５】
第十発明によれば、渡天板が分割される分割渡天板と、これら分割渡天板が連結される部分に設けられ連結を行う蝶番の働きで、分割渡天板同士を折りたたむことができる。したがって、天板を縮小することができ、容易に運搬でき、容易に組立可能で、不要の場合に狭い場所に収納することができる。
【００２６】
第十一発明によれば、側板が分割される分割側板と、これら分割側板が連結される部分に設けられ連結を行う蝶番の働きで、分割側板同士を折りたたむことができる。したがって、側板を縮小することができ、容易に運搬でき、容易に組立可能で、不要の場合に狭い場所に収納することができる。
【００２７】
第十二発明によれば、端部天板が分割される分割端部天板と、これら分割端部天板が連結される部分に設けられ連結を行う蝶番の働きで、分割端部天板同士を折りたたむことができる。したがって、端部天板を縮小することができ、容易に運搬でき、容易に組立可能で、不要の場合に狭い場所に収納することができる。
【００２８】
第十三発明によれば、床面開口部の内側に沿って四角枠状に設けられる蓋床面受と、この蓋床面受の上面に四方の端部が載せられ前記床面開口部を閉じるために設けられる四角形状の蓋床面の働きで、囲炉裏が不要の場合に床下面に収納することができる。
【発明を実施するための最良の形態】
【００２９】
この発明の一例の第一実施形態を、図1から図６に示す。
図1は第一実施形態における設置式の囲炉裏１Aを示す斜視図であり、図２はこの囲炉裏１Aを示す断面図である。また、図３は第一実施形態における側板１４を示す斜視図、図４はこの側板１４の井桁組溝１７同士を組み合わす事を示す部分斜視図、図５は第一実施形態における木枠１２の組立途中を示す斜視図、図６は第一実施形態における炉端２を示す斜視図である。
【００３０】
これら図１から図６において、第一実施形態の設置式の組立式の囲炉裏１Aは木製の炉端２が床面４に設けられ、炉端２に形成される炉端開口部３に炉本体１０が据え置かれたものである。この炉本体１０は四角箱状に形成され、上部の開口部の縁の外側の水平方向に炉出っ張り１１が形成される。図１及び図２に示すように、炉端２は木枠１２から構成され、木枠１２は炉本体１０を支持する基礎を形成し、さらに分解し組立られるように、複数の部分からなっている。
【００３１】
すなわち、木枠１２を構成するのは、互いに平行で二対が設けられる４枚の側板１４である。これらの側板１４の両端部に井桁組溝１７が形成され、４枚の側板１４がこれら井桁組溝１７によって、互いに「緩やかに」井桁に組まれることにより、炉本体１０が挿入される炉端開口部３が形成される。（ここで、「緩やかに」というのは、人の力で木枠１２の井桁が分解でき、組み立てられるほどに井桁組溝１７と側板１４の肉厚との間に隙間があることを言う。）
【００３２】
図３に示すように、側板１４は二枚の分割側板１５a、１５ｂから構成され、これら分割側板１５a、１５ｂの一方の端部に井桁組溝１７が形成される。又、これら分割側板１５a、１５ｂが連結される部分のもう一方の端部木口に蝶番溝１８がそれぞれ形成される。これら蝶番溝１８が合わされた状態の中に収没される状態で蝶番２１が設置され、この蝶番２１に形成されたネジ穴２２にネジ２３が挿入され取り付けられ二枚の分割側板１５（１５a,１５b）が連結されることにより側板１４が形成される。
【００３３】
第一実施形態の設置式の組立式の囲炉裏１Aの組み立て順序を図１、図４、図５、図６を使って以下に説明する。
先ずはじめに、木枠１２を４枚の側板１４で「緩やかに」井桁に組合せて作るが、図４に示すように、一枚目の側板１４（１）の分割側板１５aの端部に形成された井桁組溝１７と二枚目の側板１４（２）の分割側板１５aの端部に形成された井桁組溝１７を「緩やかに」組み合わせる。次に、図５に示すように、二枚目の側板１４（２）のもう一方の分割側板１５ｂの端部に形成された井桁組溝１７と一枚目の側板１４（１）と平行で一対が設けられるもう一方の三枚目の側板１４（３）の分割側板１５ｂの端部に形成された井桁組溝１７を「緩やかに」組合せる。
【００３４】
次に、図６に示すように、一枚目の側板１４（１）のもう一方の分割側板１５ｂの端部に形成された井桁組溝１７と二枚目の側板１４（２）と平行で一対が設けられるもう一方の四枚目の側板１４（４）の分割側板１５ｂの端部に形成された井桁組溝１７とを「緩やかに」組み合わせる。同時に、三枚目の側板１４（３）のもう一方の分割側板１５aの端部に形成された井桁組溝１７と、四枚目の側板１４（４）のもう一方の分割側板１５aの端部に形成された井桁組溝１７を「緩やかに」組合せて、木枠１２を設ける。
【００３５】
これで、中央に炉端開口部３を有する炉端２が設けられる。図１に示すように、炉端開口部３に炉本体１０を挿入し、この炉本体１０の上部開口部に形成された炉出っ張り１１を木枠１２の上端部に掛け、炉端２に炉本体１０を設置し、囲炉裏１Aを完成させる。第一実施形態における囲炉裏１Aを分解する場合は、組立順と逆の順序で行う。
【００３６】
この発明の一例の第二実施形態を、図７から図１０に示す。
図７は第二実施形態における設置式の組立式の囲炉裏１Aを示す斜視図、図８はこの囲炉裏１Aを示す断面図、図９は第二実施形態における天板２４を示す裏面斜視図、図１０は第二実施形態における固定部材３０を示す炉端２の部分断面図である。
【００３７】
これら図７から図１０において、第二実施形態における設置式の組立式の囲炉裏１Aは床面４の上に炉端２が設置され、この炉端２の中央に形成される炉端開口部３に炉本体１０が据え置かれたものである。この炉本体１０は第一実施形態に置ける炉本体１０と全く同じ構成要素で構成される。
【００３８】
図７、図８に示すように、第二実施形態における炉端２は木枠１２及び天板２４から組立てられ、木枠１２は天板２４を支持する基礎を形成し、さらに分解し組立てられるように、複数の部分からなっている。木枠１２は第一実施形態における木枠１２と全く同じ構成要素で構成される。
【００３９】
第二実施形態における天板２４は、図７に示すように、中央の炉端開口部３を形成し、さらに分解組立できるように、複数の部分からなっている。すなわち、天板２４の端部を構成するのは、互いに平行で一対が設けられる端部天板２７である。これら一対の端部天板２７の両端部に、一対の渡天板２９が渡され、連結される。これにより、中央に炉本体１０を設置する炉端開口部３を有する天板２４が形成される。
【００４０】
図９に示すように、天板２４は端部天板２７と渡天板２９が連結される部分の裏面の両端部木口の各板（２７，２９）の長手方向に蝶番溝１８ｂが形成され、渡天板２９は端部天板２７と連結される部分の裏面の両端部木口の各板（２７，２９）の長手方向に蝶番溝１８ｂが形成さる。これら蝶番溝１８ｂが合わされた状態の中に蝶番２１ｂが完全に収没された状態でこの蝶番２１ｂに形成されたネジ穴２２にネジ２３が挿入され取り付けられ、一対の端部天板２７と一対の渡天板２９が連結されることで天板２４が形成される。
【００４１】
また、端部天板２７の裏面両端部に出没凹部２０が立方体状に形成され、この出没凹部２０に固定部材３０が設けられる。図１０に示すように、固定部材３０は端部天板２７の裏側の両端部に形成される出没凹部２０の内部に出没可能に設けられ、突出した状態で木枠１２の内側に接触し天板２４の水平方向の位置決めを行なう。ここで固定部材３０の一例として、磁気を帯びた金属の蝶番を用いる。
【００４２】
固定部材３０の蝶番の両翼に形成されたネジ穴２２の一方の片翼のネジ穴２２にネジ２３が挿入され、出没凹部２０の上面に片翼が取り付けられ、もう一方の片翼が自在に開閉する状態で蝶番が固定される。このとき、蝶番の心棒３３側と出没凹部２０の側面に隙間ができない状態で、心棒３３が炉端開口部３側に位置する状態で取り付け固定される。出没凹部２０は閉じられた蝶番を完全に収没させると同時に蝶番が開かれた場合に突出させる事ができる深さで形成される。
【００４３】
蝶番のもう一方の自在に開閉する片翼が開かれ出没凹部２０から突出した状態で、木枠１２の内側の側壁に接触することにより端部天板２７が木枠１２に固定されるのと同時に天板２４の水平方向の位置が決まる。突出した片翼が不要の場合は出没凹部２０の中に取り付けられた一方の片翼と合わされ磁気により「緩やかに」接合し、出没凹部２０の中に、完全に収没される。（ここで、「緩やかに」というのは、人の力で蝶番の一方の片翼ともう一方の片翼が自在に開閉できる程度の磁気エネルギーの事を言う。）
【００４４】
図９に示すように、端部天板２７は二枚の分割端部天板２８a、２８bから構成される。これら分割端部天板２８a、２８bが連結される部分の表面の端部木口に蝶番溝１８cがそれぞれ形成され、これら蝶番溝１８cが合わされた状態の中に完全に収没される状態で蝶番２１cが設置される。この蝶番２１cに形成されたネジ穴２２にネジ２３が挿入され取り付けられ、二枚の分割端部天板２８（２８a、２８b）が連結されることにより端部天板２７が形成される。
【００４５】
第二実施形態における設置式の組立式の囲炉裏１Aの組み立て順序を図７、図９を使って以下に説明する。
先ずはじめに、木枠１２を４枚の側板１４で「緩やかに」井桁に組合せて作るが、第一実施形態における囲炉裏１の木枠１２の組立て順序と全く同じ順序で組み立てる。
【００４６】
図９に示すように、一対の端部天板２７の分割端部天板２８aと分割端部天板２８bの表面同士が合わされている状態から蝶番２１cを中心にして前後に開き一対の端部天板２７を形成し、次に、これら端部天板２７の裏面と一対の渡天板２９の裏面が合わされている状態から蝶番２１bを中心に左右に開いて天板２４を形成する。一対の端部天板２７の両端部に形成された出没凹部２０に設けられた固定部材３０の蝶番の片翼を開き出没凹部２０から突出させて、木枠１２の内側の側壁に接触させ、天板２４を木枠１２に固定する。
【００４７】
図７に示すように、天板２４の中央部に形成された炉端開口部３に炉本体１０を挿入し、炉端開口部３の周辺の天板２４に炉本体１０の上部開口部に形成された炉出っ張り１１を掛け、炉端２に炉本体１０を設置して、囲炉裏１Aを完成させる。第二実施形態における囲炉裏１Aを分解する場合は、組立順と逆の順序で行う。
【００４８】
この発明の一例の第三実施形態を、図１１から図１８に示す。
図１１は第三実施形態における床切式の組立式の囲炉裏１Ｂを示す斜視図であり、図１２はこの囲炉裏１Ｂを示す断面図、図１３は端部天板２７Ｂを示す裏面斜視図、図１４は端部天板２７Ｃを示す裏面斜視図、図１５は第三実施形態における固定部材３０を示す炉端２の部分断面図、図１６、図１７は第三実施形態における炉端２の組立途中図、図１８は床下面９の上に分解収納された第三実施形態における炉端２と炉本体１０が置かれたことを示す床面４の断面図である。
【００４９】
図１１、図１２に示すように、床切式の組立式の囲炉裏１Ｂは床面４が四角形状に切り抜かれ、床面開口部５と床下面９の間に四角筒状の木枠１２Ｂが四角枠状に設けられる。この木枠１２Ｂの上端部の外側の端部周辺が床面開口部５の周辺の床面４の裏面と接触固定され、、床面開口部５の周辺の床面４を支持する。木枠１２Ｂの上端部の内側の端部周辺が床面開口部５の周辺縁部に沿って木枠１２Ｂの上端部に炉端２、又は蓋床面６を載せるための蓋床面受７が形成され、この蓋床面受７の上に炉端２が組まれる。この炉端２の炉端開口部３に第一実施形態に置ける炉本体１０と全く同じ構成要素で構成される炉本体１０が据え置かれることにより床切式の組立式の囲炉裏１Ｂが形成される。
【００５０】
炉端２は木枠１２及び天板２４から組立てられる。木枠１２はこの天板２４を支持する基礎を形成し、さらに分解し組立てられるように、複数の部分からなっている。木枠１２は第一実施形態における木枠１２と全く同じ構成要素で構成される。
【００５１】
天板２４は中央の炉端開口部３を形成し、さらに分解組立できるように、複数の部分からなっている。すなわち、天板２４の端部を構成するのは、互いに平行で一対が設けられる端部天板２７Ｂと互いに平行で一対が設けられる端部天板２７Ｃである。これら一対の端部天板２７Ｂと一対の端部天板２７Ｃが互いに井桁に組まれることにより、中央に炉端開口部３を有する天板２４を形成する。
【００５２】
図１３に示すように、端部天板２７Ｂの両端部に井桁組溝１７ｂが形成される。端部天板２７Ｂは分割端部天板２８ｃ及び分割端部天板２８ｄから構成され、これら分割端部天板２８ｃ及び分割端部天板２８ｄの一方の端部に井桁組溝１７ｂが形成される。これら分割端部天板２８ｃ及び分割端部天板２８ｄが連結される部分のもう一方の端部木口に蝶番溝１８ｃがそれぞれ形成される。これら蝶番溝１８ｃが合わされた状態の中に収没される状態で蝶番２１ｃが設置され、この蝶番２１ｃに形成されたネジ穴２２にネジ２３が挿入され取り付けられ、分割端部天板２８ｃ及び分割端部天板２８ｄが連結されることにより端部天板２７Ｂが形成される。また、これら端部天板２７Ｂの裏面の両端部に第二実施形態と全く同じ構成要素の出没凹部２０及び固定部材３０が設けられる。
【００５３】
図１４に示すように、端部天板２７Ｃの両端部に井桁組溝１７ｃが形成される。端部天板２７Ｃは分割端部天板２８e及び分割端部天板２８ｆから構成され、これら分割端部天板２８e及び分割端部天板２８ｆの一方の端部に井桁組溝１７ｃが形成され、これら分割端部天板２８e及び分割端部天板２８ｆが連結される部分のもう一方の端部木口に蝶番溝１８ｃがそれぞれ形成される。これら蝶番溝１８ｃが合わされた状態の中に収没される状態で蝶番２１ｃが設置され、この蝶番２１ｃに形成されたネジ穴２２にネジ２３が挿入され取り付けられ、分割端部天板２８e及び分割端部天板２８ｆが連結されることにより端部天板２７Ｃが形成される。
【００５４】
図１５に示すように、端部天板２７Ｂに形成される井桁組溝１７ｂと端部天板２７Ｃに形成される井桁組溝１７ｃが互いに合わされ、互いに「緩やかに」挿入されることにより、中央に炉本体１０が設置される炉端開口部３を有する天板２４が井桁に形成される。（ここで、「緩やかに」というのは、人の力で天板２４の井桁が分解でき、組み立てられるほどに井桁組溝１７ｂ,１７ｃと端部天板２７Ｂ及び端部天板２７Ｃの肉厚との間に隙間があることを言う。）
【００５５】
端部天板２７Ｂの両端部に形成された出没凹部２０に固設された固定部材３０の蝶番の一方の自在に開閉する片翼が開かれ出没凹部２０から突出した状態で、木枠１２の内側の側壁に接触することにより端部天板２７Ｂが木枠１２に固定されるのと同時に天板２４の水平方向の位置が決まる。
【００５６】
図１８に示すように、木枠１２Ｂの内側の床下面９の上に分解された炉端２の側板１４、端部天板２７Ｂ、端部天板２７Ｃ及び炉本体１０が収納される。四枚の側板１４は分割側板１５aと分割側板１５ｂの内側側面同士が合わされた状態で二つ折りにされ、端部天板２７Ｂは分割端部天板２８ｃと分割端部天板２８ｄの裏面同士が合わされた状態で二つ折りにされ、端部天板２７Ｃは分割端部天板２８eと分割端部天板２８ｆの裏面同士が合わされた状態で二つ折りにされる。又、蓋床面受７に載せて床面開口部５を閉じるための蓋床面６が設けられ、中央に取っ手穴８が形成される。
【００５７】
第三実施形態における床切式の組立式の囲炉裏１Ｂの組立順序を図１１、図１６、図１７、図１８に示す。
はじめに、図１８に示すように、蓋床面受７に載せられた蓋床面６の中央に形成された取っ手穴８に指を挿入して床面４から蓋床面６を取り出して、床面４に床面開口部５を形成する。次に、床下面９の上に収納された炉端２及び炉本体を取り出す。
【００５８】
初めに４枚の側板１４の分割側板１５aと分割側板１５ｂを蝶番２１を中心に左右に開き、４枚の側板１４を形成する。これら側板１４を第一実施形態における木枠１２の組立順序と全く同じ順序で木枠１２を組み立て、床面開口部５の周辺に形成された蓋床面受７の上に据え置く。次に、一対の端部天板２７Ｂの分割端部天板２８ｃ、２８ｄを蝶番２１ｃを中心に左右に開き、一対の端部天板２７Ｂを形成する。これら端部天板２７Ｂを、図１６に示すように、木枠１２の両端部に据え置く。このとき、これら端部天板２７Ｂの裏面の両端部に形成された出没凹部２０に設けられた固定部材３０Ｂの蝶番の心棒３３が炉端開口部３の中心部側になるように据え置く。
【００５９】
さらに、これら端部天板２７Ｂの裏面の両端部に形成された出没凹部２０に設けられた固定部材３０Ｂの蝶番の片翼を開き出没凹部２０から突出させて、木枠１２の内側の側壁に接触させ、一対の端部天板２７Ｂを木枠１２に固定させる。
【００６０】
次に、一対の端部天板２７Ｃの分割端部天板２８e、２８fを蝶番２１ｃを中心に左右に開き、一対の端部天板２７Ｃを形成する。図１７に示すように、一対の端部天板２７Ｂの一方の端部天板２７Ｂの表面の両端部に形成された井桁組溝１７bに一対の端部天板２７Ｃの一方の端部天板２７Ｃの裏面の両端部に形成された井桁組溝１７ｃを「緩やかに」挿入し、一方の端部天板２７Ｃを端部天板２７Ｂに渡し連結する。同じように、もう一方の端部天板２７Ｃの裏面の両端部に形成された井桁組溝１７ｃをもう一方の端部天板２７Ｂの表面の両端部に形成された井桁組溝１７bに「緩やかに」挿入し、一対の端部天板２７Ｃを一対の端部天板２７Ｂに渡し連結し、一対の端部天板２７Ｂと一対の端部天板２７Ｃを「緩やかに」井桁に連結する。これで、中央に炉端開口部３を有する天板２４が形成され、炉端２が設けられる。
【００６１】
図１１に示すように、天板２４の炉端開口部３に炉本体１０を挿入し、炉端開口部３の周辺の天板２４に炉本体１０の炉出っ張り１１を掛け、炉端２に炉本体１０を設置して、囲炉裏１Ｂを完成させる。第三実施形態における囲炉裏１Ｂを分解、収納する場合は、組立順と逆の順序で分解・収納する。
【００６２】
この発明の一例の第四実施形態を、図１９から図２１に示す。
図１９は第四実施形態における設置式の組立式の囲炉裏１Aを示す斜視図、図２０はこの囲炉裏１Aを示す断面図、図２１は第四実施形態における天板２４を示す裏面斜視図である。
【００６３】
これら図１９から図２１において、第四実施形態の設置式の組立式の囲炉裏１Aは床面４の上に炉端２が設置され、この炉端２の中央に形成される炉端開口部３に炉本体１０が据え置かれたものである。この炉本体１０は第一実施形態に置ける炉本体１０と全く同じ構成要素で構成される。
【００６４】
図１９及び図２０に示すように、炉端２は木枠１２及び天板２４から組立てられ、木枠１２は天板２４を支持する基礎を形成し、さらに分解し組立てられるように、複数の部分からなっている。木枠１２は第一実施形態における木枠１２と全く同じ構成要素で構成される。
【００６５】
第四実施形態における天板２４は、図１９に示すように、中央の炉端開口部３を形成し、さらに分解組立できるように、複数の部分からなっている。すなわち、天板２４の端部を構成するのは、互いに一対が設けられ両端部から平行に突出部が形成される形状のコの字端部天板２７０である。これらコの字端部天板２７０が連結されることにより中央に炉端開口部３を有する天板２４が形成される。
【００６６】
図２１に示すように、コの字端部天板２７０はコの字型の形状に形成され、両端部は平行に水平方向に突出部が形成され中央部に炉端開口部３を構成する長方形の空間が形成される。これら一対のコの字端部天板２７０が連結される突出部の裏面の両端の長手方向に蝶番溝１８ｄが形成され、これら蝶番溝１８ｄが合わされた状態の部分の中に蝶番２１ｄが収没された状態でこの蝶番２１ｄに形成されるネジ穴２２にネジ２３が挿入され取り付けられることにより一対のコの字端部天板２７０が連結され、中央に炉端開口部３が形成されると共に天板２４が形成される。
【００６７】
また、コの字端部天板２７０の裏面両端部に出没凹部２０が立方体状に形成され、この出没凹部２０に第二実施形態と全く同じ構成要素で構成される固定部材３０が設けられる。固定部材３０はコの字端部天板２７０の裏側の両端部に形成される出没凹部２０の内部に出没可能に設けられ、突出した状態で木枠１２の内側に接触し天板２４の水平方向の位置決めを行なう。ここで固定部材３０の一例として、磁気を帯びた金属の蝶番を用いる。
【００６８】
第四実施形態の設置式の組立式の囲炉裏１Aの組み立て順序を図１９、図２１を使って以下に説明する。
先ずはじめに、木枠１２を４枚の側板１４で「緩やかに」井桁に組合せて作るが、第一実施形態における囲炉裏１Aの木枠１２の組立て順序と全く同じ順序で組み立てる。
【００６９】
次に、図２１に示すように、一対のコの字端部天板２７０を一対の蝶番２１ｄを中心にして左右に開き天板２４を形成する。一対のコの字端部天板２７０の両端部に形成された出没凹部２０に設けられた固定部材３０の蝶番の片翼を開き出没凹部２０から突出させて、木枠１２の内側の側壁に接触させ、天板２４を木枠１２に固定する。図１９に示すように、天板２４の中央部に形成された炉端開口部３に炉本体１０を挿入し、炉端開口部３の周辺の天板２４に炉本体１０の炉出っ張り１１を掛け、炉端２に炉本体１０を設置して、囲炉裏１Aを完成させる。第四実施形態における囲炉裏IAを分解する場合は、組立順と逆の順序で行う。
【００７０】
この発明の一例の第五実施形態を、図２２、図２３、図２４に示す。
図２２は第五実施形態における床切式の組立式の囲炉裏１Ｂを示す斜視図であり、図２３はこの囲炉裏１Ｂを示す断面図、図２４は第六実施形態における床面４の断面図である。
【００７１】
これら図２２、図２３において、第五実施形態の床切式の組立式の囲炉裏１Ｂは床面４が切り抜かれ、この床面開口部５に木製の炉端２が据え置かれ、この炉端２に形成される炉端開口部３に第一実施形態と全く同じ構成要素から構成される炉本体１０が設置される。炉端２は第二実施形態における天板２４と全く同じ構成要素で構成される。
【００７２】
図２２、図２３に示すように、第五実施形態の組立式囲炉裏１Ｂは床面４が四角形状に切り抜かれ、床面開口部５と床面下９の間に四角筒状の木枠１２Ｂが四角枠状に設けられる。この木枠１２Ｂの上端部の外側の端部周辺が床面開口部５の周辺の床面４の裏面と接触固定され、、床面開口部５の周辺の床面４を支持する。木枠１２Ｂの上端部の内側の端部周辺に床面開口部５の周辺縁部に沿って木枠１２Ｂの上端部に蓋床面６を載せるための蓋床面受７が形成される。
【００７３】
床面開口部５に炉端２が設置される。この炉端２は第二実施形態における天板２４と全く同じ構成であり、一対の端部天板２７の両端部に形成された出没凹部２０に設けられた固定部材３０が床面開口部５の内側側面に接触することで炉端開口部３を有する天板２４を床面開口部５に固定すると同時に炉端２の水平方向の位置決めを行う。
【００７４】
図２４に示すように、木枠１２Ｂの内側の床下面９の上に縮小された炉端２と炉本体１０が収納される。天板２４は初めに一対の端部天板２７と一対の渡天板２９の裏面同士が合わされ折りたたまれ、次に、端部天板２７の分割端部天板２８aと分割端部天板２８bの表面同士が合わされた状態で三つ折りにされる。
【００７５】
第五実施形態における床切式の組立式の囲炉裏１Ｂの組立順序を図２２、図２３、図２４に示す。
始めに、第三実施形態と全く同じ手順で床面開口部５を形成し、図２４に示すように、床下面９の上に収納された炉本体１０及び炉端２を床面４の上に取り出す。次に、図２２に示すように炉端２の一対の端部天板２７の分割端部天板２８aと２８bの表面が合わされている状態から蝶番２１cの軸を中心にして開き一対の端部天板２７を形成し、端部天板２７と渡天板２９の裏面が合わされている状態から蝶番２１bを中心にして左右に開き天板２４を形成する。
【００７６】
図２３に示すように、一対の端部天板２７の裏面の両端部に形成された出没凹部２０に設けられた固定部材３０を突出させて床面開口部５の内側側面に接触させて天板２４を床面開口部５に固定させ、炉端２を床面開口部５に設ける。図２５に示すように、炉端開口部３に炉本体１０を挿入し、炉端開口部３周辺の天板２４に炉本体１０の上部開口部に形成された炉出っ張り１１を掛けて、炉端２に炉本体１０を設置し、囲炉裏１Ｂを完成させる。第五実施形態における囲炉裏１Ｂを分解、収納する場合は、組立順序と逆の順序で分解・収納する。
【００７７】
この発明の一例の第六実施形態を、図２５、図２６、図２７に示す。
図２５は第六実施形態における床切式の組立式の囲炉裏１Ｂを示す斜視図であり、図２６はこの囲炉裏１Ｂを示す断面図、図２７は第六実施形態における床面４の断面図である。
【００７８】
これら図２５、図２６において、第六実施形態の組立式囲炉裏１Ｂは床面４が切り抜かれ、この床面開口部５に木製の炉端２が据え置かれ、この炉端２に形成される炉端開口部３に第一実施形態と全く同じ構成要素から構成される炉本体１０が設置される。炉端２は第三実施形態における天板２４と全く同じ構成要素で構成される。
【００７９】
図２５、図２６に示すように、第六実施形態の組立式囲炉裏１Ｂは床面４が四角形状に切り抜かれ、床面開口部５と床下面９の間に四角筒状の木枠１２Ｂが四角枠状に設けられる。この木枠１２Ｂの上端部の外側の端部周辺が床面開口部５の周辺の床面４の裏面と接触固定され、、床面開口部５の周辺の床面４を支持する。木枠１２Ｂの上端部の内側の端部周辺に床面開口部５の周辺縁部に沿って木枠１２Ｂの上端部に蓋床面６を載せるための蓋床面受７が形成される。
【００８０】
床面開口部５に炉端２が設置される。この炉端２は第三実施形態における天板２４と全く同じ構成からなり、一対の端部天板２７Ｂの両端部に形成された出没凹部２０に設けられた固定部材３０が床面開口部５の内側側面に接触することで炉端開口部３を有する天板２４を床面開口部５に固定すると同時に炉端２の水平方向の位置決めを行う。
【００８１】
図２７に示すように、木枠１２Ｂの内側の床下面９の上に分解された炉端２の一対の端部天板２７Ｂ、一対の端部天板２７Ｃ及び炉本体１０が収納される。端部天板２７Ｂは分割端部天板２８ｃと分割端部天板２８ｄの裏面同士が合わされた状態で二つ折りにされ、端部天板２７Ｃは分割端部天板２８eと分割端部天板２８ｆの裏面同士が合わされた状態で二つ折りにされる。
【００８２】
第六実施形態における床切式の組立式の囲炉裏１Ｂの組立順序を図２５、図２６、図２７に示す。
始めに、図２７に示すように、第三実施形態と全く同じ手順で床面開口部５を形成し、床下面９の上に収納された炉本体１０及び炉端２を床面４の上に取り出す。次に、図２５に示すように、二組の分割端部天板２８ｃ、２８ｄを左右に開き、一対の端部天板２７Ｂを形成し、床面開口部５の両端部に一対の端部天板２７Ｂを置く。このとき、図２６に示すように、端部天板２７Ｂの裏面の両端部に形成された出没凹部２０に設けられた固定部材３０を突出させて床面開口部５の内側側面に接触させて一対の端部天板２７Ｂを床面開口部５に固定させる。
【００８３】
次に、二組の分割端部天板２８e、２８ｆを左右に開いて一対の端部天板２７Ｃを形成し、第三実施形態における天板２４を組み立てる要領と全く同じ要領で天板２４を組み立て、炉端２を設ける。図２５に示すように、炉端開口部３に炉本体１０を挿入し、炉端開口部３の周辺の天板２４に炉本体１０の上部開口部に形成された炉出っ張り１１を掛けて炉端２に炉本体１０を設置し、囲炉裏１Ｂを完成させる。囲炉裏１Ｂを分解・収納する場合は、組立順と逆の順序で分解・収納する。
【００８４】
この発明の一例の第七実施形態を、図２８、図２９、図３０に示す。
図２８は第七実施形態における床切式の組立式の囲炉裏１Ｂを示す斜視図であり、図２９はこの囲炉裏１Ｂを示す断面図、図３０は第七実施形態における床面４の断面図である。
【００８５】
これら図２８、図２９において、第七実施形態の組立式囲炉裏１Ｂは床面４が切り抜かれ、この床面開口部５に木製の炉端２が据え置かれ、この炉端２に形成される炉端開口部３に第一実施形態と全く同じ構成要素から構成される炉本体１０が設置される。炉端２は第四実施形態における天板２４と全く同じ構成要素で構成される。
【００８６】
図２８、図２９に示すように、第七実施形態の組立式囲炉裏１Ｂは床面４が四角形状に切り抜かれ、床面開口部５と床面下９の間に四角筒状の木枠１２Ｂが四角枠状に設けられる。この木枠１２Ｂの上端部の外側の端部周辺が床面開口部５の周辺の床面４の裏面と接触固定され、、床面開口部５の周辺の床面４を支持する。木枠１２Ｂの上端部の内側の端部周辺に床面開口部５の周辺縁部に沿って木枠１２Ｂの上端部に蓋床面６を載せるための蓋床面受７が形成される。
【００８７】
床面開口部５に炉端２が設置される。この炉端２は第四実施形態における天板２４と全く同じ構成要素から構成され、一対のコの字端部天板２７０の両端部に形成される出没凹部２０に設けられた固定部材３０が床面開口部５の内側側面に接触することで炉端開口部３を有する天板２４を床面開口部５に固定するのと同時に炉端２の水平方向の位置決めを行う。図３０に示すように、木枠１２Ｂの内側の床下面９の上に縮小された炉端２と炉本体１０が収納される。
【００８８】
第七実施形態における床切式の組立式の囲炉裏１Ｂの組立順序を図２８、図２９、図３０に示す。
始めに、第三実施形態と全く同じ手順で床面開口部５を形成し、図３０に示すように、床下面９の上に収納された炉本体１０及び炉端２を床面４の上に取り出す。次に、図２８に示すように炉端２の一対のコの字端部天板２７０を左右に開き天板２４を形成する。図２９に示すように、コの字端部天板２７０の両端部に形成された出没凹部２０に設けられた固定部材３０を突出させ床面開口部５の内側側面に接触させて天板２４を床面開口部５に固定させ炉端２を床面開口部５に設ける。図２８に示すように、炉端開口部３に炉本体１０を挿入し、炉端開口部３の周辺の天板２４に炉本体１０の上部開口部に形成された炉出っ張り１１を掛けて炉端２に炉本体１０を設置し、囲炉裏１Ｂを完成させる。第七実施形態における囲炉裏１Ｂを分解収納する場合は、組立順と逆の順序で分解、収納する。
【００８９】
この発明の一例の第八実施形態を、図３１、図３２に示す。
図３１は第八実施形態における設置式の組立式の囲炉裏１Aを示す斜視図であり、図３２はこの囲炉裏１Aの天板２４の裏面を示す裏面斜視図である。
【００９０】
図３１において、第八実施形態における設置式の組立式の囲炉裏１Aは床面４の上に炉端２が設置され、この炉端２の中央に形成される炉端開口部３に炉本体１０が据え置かれたものである。この炉本体１０は第一実施形態に置ける炉本体１０と全く同じ構成要素で構成される。
【００９１】
図３１に示すように、炉端２は木枠１２及び天板２４から組立てられ、木枠１２は天板２４を支持する基礎を形成し、さらに分解し組立てられるように、複数の部分からなっている。木枠１２は第一実施形態における木枠１２と全く同じ構成要素で構成される。
【００９２】
第八実施形態における天板２４は、中央の炉端開口部３を形成し、さらに分解組立できるように、複数の部分からなっている。すなわち、天板２４の端部を構成するのは、互いに一対が設けられるコの字型の形状のコの字端部天板２７０である。これら端部天板２７０が木枠１２の上に載せられることにより中央に炉端開口部３を有する天板２４が形成される。
【００９３】
図３２に示すように、コの字端部天板２７０は端部天板２７と両端部に連結される突出天板１９（１９a,１９ｂ）から構成される。端部天板２７は突出天板１９（１９a,１９ｂ）と連結される両端部の各板（２７、１９）の長手方向に蝶番溝１８eが形成され、突出天板１９（１９a,１９ｂ）は端部天板２７と連結される端部に蝶番溝１８eが形成される。これら蝶番溝１８eが合わされた状態の中に蝶番２１eが完全に収没された状態で、この蝶番２１eに形成されるネジ穴２２にネジ２３が挿入され取り付けられることによりコの字型の形状のコの字端部天板２７０が形成される。
【００９４】
また、端部天板２７の裏面両端部に出没凹部２０が立方体状に形成され、この出没凹部２０に第二実施形態と全く同じ構成要素で構成される固定部材３０が設けられる。固定部材３０は端部天板２７の裏側の両端部に形成される出没凹部２０の内部に出没可能に設けられ、突出した状態で木枠１２の内側に接触し天板２４の水平方向の位置決めを行なう。ここで固定部材３０の一例として、磁気を帯びた金属の蝶番を用いる。
【００９５】
第八実施形態の設置式の組立式の囲炉裏１Aの組み立て順序を図３１を使って以下に説明する。
先ずはじめに、木枠１２を４枚の側板１４で「緩やかに」井桁に組合せて作るが、第一実施形態における囲炉裏１Aの木枠１２の組立て順序と全く同じ順序で組み立てる。
【００９６】
次に、図３１に示すように、一対のコの字端部天板２７０の一方のコの字端部天板２７０の端部天板２７の両端部に連結された突出天板１９（１９a,１９ｂ）を蝶番２１eを中心にして左右に開き一方のコの字端部天板２７０を形成する。次に、このコの字端部天板２７０の裏面の両端部に形成された出没凹部２０に設けられた固定部材３０の蝶番の片翼を開いて出没凹部２０から突出させて、木枠１２の内側の側壁に接触させ、突出天板１９（１９a,１９ｂ）が木枠１２の内側になる状態で一方のコの字端部天板２７０を木枠１２に固定する。さらに、もう一方のコの字端部天板２７０の端部天板２７の両端部に連結された突出天板１９（１９a,１９ｂ）を蝶番２１eを中心にして左右に開きもう一方のコの字端部天板２７０を形成する。
【００９７】
もう一方のコの字端部天板２７０の裏面の両端部に形成された出没凹部２０に設けられた固定部材３０の蝶番の片翼を開いて出没凹部２０から突出させて、木枠１２の内側の側壁に接触させ、一方のコの字端部天板２７０の両端部の突出天板１９（１９a,１９ｂ）と、もう一方のコの字端部天板２７０の両端部の突出天板１９（１９a,１９ｂ）の木口と合い合わせる状態で木枠１２に据え置く。天板２４の中央に炉端開口部３が形成され、この炉端開口部３に炉本体１０を挿入し、炉端開口部３の周辺の天板２４に炉本体１０の炉出っ張り１１を掛け、炉端２に炉本体１０を設置して、囲炉裏１Aを完成させる。第四実施形態における囲炉裏IAを分解する場合は、組立順と逆の順序で行う。
【００９８】
この発明の一例の第九実施形態を、図３３、図３４、図３５に示す。
図３３は第九実施形態における床切式の組立式の囲炉裏１Bを示す斜視図、図３４はこの囲炉裏IＢの炉端２の裏面斜視図、図３５はこの囲炉裏IＢの炉端２を縮小した場合の側面図である。
第九実施形態の床切式の組立式の囲炉裏１Ｂは床面４が切り抜かれ、第三実施形態と全く同じ構成要素の床面開口部５に木製の炉端２が据え置かれ、この炉端２に形成される炉端開口部３に第一実施形態と全く同じ構成要素から構成される炉本体１０が設置される。
【００９９】
第九実施形態における炉端２は天板２４から構成される。天板２４は、図３３に示すように、中央の炉端開口部３を形成し、さらに分解組立できるように、複数の部分からなっている。すなわち、天板２４の端部を構成するのは、互いに平行で一対が設けられる端部天板２７である。これら一対の端部天板２７の両端部に、一対の渡天板２９が渡され、連結される。これにより、中央に炉本体１０を設置する炉端開口部３を有する天板２４が形成される。
【０１００】
図３４に示すように、端部天板２７は渡天板２９と連結される部分の裏面の両端部木口の各板（２７，２９）の長手方向に蝶番溝１８ｂが形成され、渡天板２９は端部天板２７と連結される部分の裏面の両端部木口の各板（２７，２９）の長手方向に蝶番溝１８ｂが形成さる。これら蝶番溝１８ｂが合わされこの中に蝶番２１ｂが完全に収没した状態でこの蝶番２１ｂに形成されたネジ穴２２にネジ２３が挿入され取り付けられ、一対の端部天板２７と一対の渡天板２９が連結されることで天板２４が形成される。
【０１０１】
また、端部天板２７の裏面両端部に第二実施形態と全く同じ構成要素の出没凹部２０が立方体状に形成され、この出没凹部２０に固定部材３０が設けられる。固定部材３０は端部天板２７の裏側の両端部に形成される出没凹部２０の内部に出没可能に設けられ、突出した状態で床面開口部５の内側側面に接触することで炉端開口部３を有する天板２４を床面開口部５に固定すると同時に炉端２の水平方向の位置決めを行う。
【０１０２】
図３３に示すように、渡天板２９は二枚の分割渡天板３４a、３４bから構成される。これら分割渡天板３４a、３４bが連結される部分の表面の端部木口に蝶番溝１８ｆがそれぞれ形成され、これら蝶番溝１８ｆが合わされた状態の中に収没される状態で蝶番２１ｆが設置される。この蝶番２１ｆに形成されたネジ穴２２にネジ２３が挿入され取り付けられ、二枚の分割渡天板３４（３４a、３４b）が連結されることにより渡天板２９が形成される。
【０１０３】
第九実施形態の設置式の組立式の囲炉裏１Aの組み立て順序を図３３、図３５を使って以下に説明する。
床面開口部５は第三実施形態と同じ要領で形成する。図３５に示すように、炉端２が分解され、縮小されている。一対の端部天板２７の出没凹部２０に固定部材３０が収納された状態で一方の端部天板２７の裏面と分割端部天板３４aと分割端部天板３４ｂの裏面が合わされ、もう一方の端部天板２７の裏面と分割端部天板３４aと分割端部天板３４ｂの裏面が合わされ、これらの一対の分割端部天板３４aと分割端部天板３４ｂの表面が合わされて炉端２が縮小されている。
【０１０４】
一対の端部天板２７の一方の端部天板２７の裏面と分割端部天板３４aと分割端部天板３４ｂの裏面が合わされている状態から蝶番２１ｂを中心に左右に開く。もう一方のの端部天板２７の裏面と分割端部天板３４aと分割端部天板３４ｂの裏面が合わされている状態から蝶番２１ｂを中心に左右に開いて、最後にこれらの一対の分割端部天板３４aと分割端部天板３４ｂの表面が合わされている状態から蝶番２１ｆを中心にして左右に開き、炉端２を形成する。次に一対の端部天板２７の裏面の両端部に形成された出没凹部２０に設けられた固定部材３０を突出させて床面開口部５の内側側面に接触させて天板２４を床面開口部５に固定させ、炉端２を床面開口部５に設ける。図３３に示すように、炉端開口部３に炉本体１０が挿入され、炉端開口部３周辺の天板２４に炉本体１０の上部開口部に形成された炉出っ張り１１が掛けられて、炉端２に炉本体１０が設置され、囲炉裏１Ｂが完成する。第九実施形態における、囲炉裏IＢを分解する場合は、組立順と逆の順序で行う。
【０１０５】
「第一、第二、第三、第四、第八実施形態の効果」
この第一、第二、第三、第四、第八実施形態によれば、井桁組溝１７の働きで、側板１４を「緩やかに」井桁に組むことができる。したがって、木枠１２をさらに、分解・縮小することができる。４枚の側板１４が全く同じものであり、どの側板１４を組み合わせても木枠１２を容易に組立ることができる。
【０１０６】
分割側板１５a、１５ｂと蝶番溝１８と蝶番２１の働きで、側板１４を構成する分割側板１５a、１５ｂを完全に折りたたむことができる。したがって、木枠１２をさらに縮小することができ、容易に分解、組立可能にすることができる。蝶番２１とネジ２３の働きで、分割側板１５a、１５ｂが変形しにくいので炉端２の耐久性を高めることができる。
【０１０７】
「第二、第五、第九実施形態の効果」
この第二、第三、第五、第六実施形態によれば、蝶番溝１８ｂと蝶番２１ｂの働きで、天板２４を構成する端部天板２７渡天板２９を折りたたむことができる。したがって、天板２４をさらに縮小することができ、容易に分解、組立可能にすることができる。蝶番２１ｂとネジ２３の働きで、天板２４が変形しにくいので炉端２の耐久性を高めることができる。
【０１０８】
「第二、第三、第五、第六実施形態の効果」
この第二、第三、第五、第六実施形態によれば、蝶番溝１８ｃと蝶番２１ｃの働きで、端部天板２７、２７Ｂ、２７Ｃを構成する分割端部天板２８aと２８ｂ、２８ｃと２８ｄ、２８eと２８ｆを完全に折りたたむことができる。したがって、天板２４をさらに縮小することができ、容易に分解、組立可能にすることができる。蝶番２１ｃとネジ２３の働きで、分割端部天板２８a、２８ｂ、２８ｃ、２８ｄ、２８e、２８ｆが変形しにくいので炉端２の耐久性を高めることが  できる。
【０１０９】
「第四、第七実施形態の効果」
この第四、第七実施形態によれば、蝶番溝１８ｄと蝶番２１ｃｄの働きで、天板２４を構成する一対のコの字端部天板２７０を完全に折りたたむことができる。したがって、天板２４をさらに縮小することができ、容易に分解、組立可能にすることができる。蝶番２１ｄとネジ２３の働きで、コの字端部天板２７０が変形しにくいので炉端２の耐久性を高めることができる。
【０１１０】
「第八実施形態の効果」
この第八実施形態によれば、蝶番溝１８eと蝶番２１eの働きで、コの字端部天板２７０を構成する端部天板２７と突出天板１９a,１９bを完全に折りたたむことができる。したがって、天板２４をさらに縮小することができ、容易に分解、組立可能にすることができる。蝶番２１eとネジ２３の働きで、コの字端部天板２７０が変形しにくいので炉端２の耐久性を高めることができる。
【０１１１】
「第九実施形態の効果」
この第九実施形態によれば、、蝶番溝１８fと蝶番２１fの働きで、渡天板２９を構成する分割渡天板３４a,３４ｂを完全に折りたたむことができる。したがって、天板２４をさらに縮小することができ、容易に分解、組立可能にすることができる。蝶番２１ｆとネジ２３の働きで、分割渡天板３４a,３４ｂが変形しにくいので炉端２の耐久性を高めることができる。
【０１１２】
「第三、第五、第六、第七、第九実施形態の効果」
この第三、第五、第六、第七、第九実施形態によれば、蓋床面受７と蓋床面６を設けたので、分解、縮小した囲炉裏を床下面に収納し、床面開口部５に蓋をすることができる。
【０１１３】
「他の実施形態」
図１の実施形態では、炉端開口部が一つであり、炉本体１０が一つしか設けられていないが、他の実施形態では、炉端開口部が複数あり、炉本体が複数設けられるものでも良い。
図３の実施形態では、側板１４の井桁組溝１７は一方の木口の両端部に形成されたが、他の実施形態では、図３６に示すように、井桁組溝１７は側板４の両方の木口に井桁溝１７が形成されるものでも良い。
【０１１４】
図３の実施形態では、側板１４は両端部に何も設けられていないが、他の実施形態では、図３７に示すように、側板１４は両端部に補強部材１６が設けられるものでも良い。この補強部材１６は側板１４が横目の板材の場合に井桁組溝１７より外側の両端部に板材の縦目を接合することにより、井桁組溝１７より外側の両端部の破損を防ぐことができる。又、この側板１４で井桁に組まれた木枠１２は補強部材１６の井桁組溝１７側の側面と側板１４の外側の側面が接触することにより木枠１２を補強することができる。
【０１１５】
図３の実施形態では、側板１４は両端部に何も設けられていないが、他の実施形態では、図３８に示すように、側板１４は両端部に補強部材１６ｂが片面又は両面に設けられるものでも良い。この補強部材１６ｂは金属製の板材で形成され井桁組溝１７に沿って側板１４にネジ２３によって取り付けられる。
【０１１６】
図９の実施形態では、固定部材３０は端部天板２７の裏面の両端部に出没凹部２０が形成され、この出没凹部２０に出没可能に固定部材３０が設けられたが、他の実施形態では、図３９に示すように、固定部材３０Ｂは端部天板２７の裏面の木枠１２の内側の位置の両端部に固定部材３０が設けられるか、又は形成されるものでも良い。
【０１１７】
または、図４０、図４１に示すように、端部天板２７の裏面の両端部に固定部材３０は取り外し式にしても良い。図４０に示すように、ネジ穴２２を端部天板２７の裏面の木枠１２の内側の両端部の位置に設ける。図４１に示すように、固定部材３０の中央にネジ２３を設ける。前記ネジ穴２２にこのネジ２３を挿入し、端部天板２７の裏面の木枠１２の内側の位置に固定部材３０を取り外し自在に固定する。
【０１１８】
この他にも固定部材の取り付け自在の方法として、ボス穴とボスの係合、面ファスナーによる接着、端部天板の裏面に係合金具を設置する溝を形成し、この溝に係合金具を設置して、固定部材３０に係合金具を設置して取り付け自在とする方法がある。また、端部天板２７の両端部にアリ溝を彫り固定部材３０Ｄの上部をアリ状に形成して係合する方法などが考えられる。
【０１１９】
または、固定部材の替わりに、木枠１２の上端木口と端部天板２７の裏面が接触する部分にボスとボス穴の係合、面ファスナーによる接着、端部天板２７の両端部にアリ溝を彫り木枠１２の側板１４の上部をアリ状に形成して係合する方法などが考えられる。
【０１２０】
図４２に示すように、従来の組立式の囲炉裏１０１Aにおいては、囲炉裏１０１Aの炉端２を木枠１２と天板２４に分割し、運搬し易い事に重点が置かれたが、今回の発明における設置式の組立式の囲炉裏１Aにおいては、炉端２の木枠１２と天板２４をさらに分割して縮小し、さらに携帯性を高めると同時に容易に組み立てることができる設置式の組立式の囲炉裏１Aである。また、図４３に示すように、従来の床切式の組立式の囲炉裏１０１Ｂにおいては、炉本体１０が床面開口部５に設置され、炉本体１０の開口部の上部に形成された炉出っ張り１１に対応した炉端開口部３を有する炉端２が取り外し式に設置されたが、今回の発明における床切式の組立式の囲炉裏１Ｂにおいては、炉端２をさらに分解して縮小することができ、容易に組み立てることができる。又、炉本体１０と共に床下面９に収納し、蓋床面６で床面開口部５に蓋をすることができるために、その部屋を多用途に使用することができる囲炉裏１Ｂである。
【図面の簡単な説明】
【０１２１】
【図１】第一実施形態の組立式囲炉裏の斜視図
【図２】第一実施形態の組立式囲炉裏の断面図
【図３】第一実施形態の側板の斜視図
【図４】第一実施形態の木枠の組立途中の部分斜視図
【図５】第一実施形態の炉端の組立途中の斜視図
【図６】第一実施形態の炉端の斜視図
【図７】第二実施形態の組立式囲炉裏の斜視図
【図８】第二実施形態の組立式囲炉裏の断面図
【図９】第二実施形態の端部天板の裏面斜視図
【図１０】第二実施形態の炉端の部分断面図
【図１１】第三実施形態の組立式囲炉裏の斜視図
【図１２】第三実施形態の組立式囲炉裏の断面図
【図１３】第三実施形態の端部天板の裏面斜視図
【図１４】第二実施形態の端部天板の裏面斜視図
【図１５】第三実施形態の炉端の部分断面図
【図１６】第三実施形態の炉端の組立途中の斜視図
【図１７】第三実施形態の炉端の組立途中の斜視図
【図１８】第三実施形態の床面の断面図
【図１９】第四実施形態の組立式囲炉裏の斜視図
【図２０】第四実施形態の組立式囲炉裏の断面図
【図２１】第四実施形態の天板の裏面斜視図
【図２２】第五実施形態の組立式囲炉裏の斜視図
【図２３】第五実施形態の組立式囲炉裏の断面図
【図２４】第五実施形態の床面の断面図
【図２５】第六実施形態の組立式囲炉裏の斜視図
【図２６】第六実施形態の組立式囲炉裏の断面図
【図２７】第六実施形態の床面の断面図
【図２８】第七実施形態の組立式囲炉裏の斜視図
【図２９】第七実施形態の組立式囲炉裏の断面図
【図３０】第七実施形態の床面の断面図
【図３１】第八実施形態の組立式囲炉裏の斜視図
【図３２】第八実施形態の天板の裏面斜視図
【図３３】第九実施形態の組立式囲炉裏の斜視図
【図３４】第九実施形態の炉端の裏面斜視図
【図３５】第九実施形態の炉端の側面図
【図３６】他の実施形態の側板の斜視図
【図３７】他の実施形態の側板の斜視図
【図３８】他の実施形態の側板の斜視図
【図３９】他の実施形態の端部天板の裏面斜視図
【図４０】他の実施形態の端部天板の裏面斜視図
【図４１】他の実施形態の固定部材の裏面斜視図
【図４２】従来の可搬式囲炉裏の断面図
【図４３】従来の可搬式囲炉裏の断面図
【符号の説明】
【０１２２】
１囲炉裏  ２炉端  ３炉端開口部  ４床面  ５床面開口部  ６蓋床面  ７蓋床面受
８取っ手穴  ９床下面  １０炉本体  １１炉出っ張り  １２木枠  １３底板
１４側板  １５分割側板  １６補強部材  １７井桁組溝  １８蝶番溝  １９突出天板
２０出没凹部  ２１蝶番  ２２ネジ穴  ２３ネジ  ２４天板  ２５天板垂れ部
２６取っ手  ２７端部天板  ２７０コの字端部天板  ２８分割端部天板  ２９渡天板    
３０固定部材  ３１灰  ３２燃焼物  ３３心棒  ３４分割渡天板
【図１】
2008082572.tif 000003
【図２】
2008082572.tif 000004
【図３】
2008082572.tif 000005
【図４】
2008082572.tif 000006
【図５】
2008082572.tif 000007
【図６】
2008082572.tif 000008
【図７】
2008082572.tif 000009
【図８】
2008082572.tif 000010
【図９】
2008082572.tif 000011
【図１０】
2008082572.tif 000012
【図１１】
2008082572.tif 000013
【図１２】
2008082572.tif 000014
【図１３】
2008082572.tif 000015
【図１４】
2008082572.tif 000016
【図１５】
2008082572.tif 000017
【図１６】
2008082572.tif 000018
【図１７】
2008082572.tif 000019
【図１８】
2008082572.tif 000020
【図１９】
2008082572.tif 000021
【図２０】
2008082572.tif 000022
【図２１】
2008082572.tif 000023
【図２２】
2008082572.tif 000024
【図２３】
2008082572.tif 000025
【図２４】
2008082572.tif 000026
【図２５】
2008082572.tif 000027
【図２６】
2008082572.tif 000028
【図２７】
2008082572.tif 000029
【図２８】
2008082572.tif 000030
【図２９】
2008082572.tif 000031
【図３０】
2008082572.tif 000032
【図３１】
2008082572.tif 000033
【図３２】
2008082572.tif 000034
【図３３】
2008082572.tif 000035
【図３４】
2008082572.tif 000036
【図３５】
2008082572.tif 000037
【図３６】
2008082572.tif 000038
【図３７】
2008082572.tif 000039
【図３８】
2008082572.tif 000040
【図３９】
2008082572.tif 000041
【図４０】
2008082572.tif 000042
【図４１】
2008082572.tif 000043
【図４２】
2008082572.tif 000044
【図４３】
2008082572.tif 000045